(57)【要約】【課題】パネルの側端同士の接合に際して、組立又は解体作業が簡易であって、且つ、パネルの側端同士の間隙を外観良く閉塞する。【解決手段】接合されるパネル３０・３０の側端面の各々に略Ｌ字状平断面形状の突条１３０・１３０を備えて、これらの突条１３０・１３０を突き合わせることにより、前記パネル３０・３０の側端面間に、パネル表面側に開放された略上下方向の溝形状部である接合溝Ｋを形成するとともに、該接合溝Ｋの底部よりパネル表面側へ向けて起立する面形状部である接合突条Ｆを形成する。そして、前記接合溝Ｋに挿入されて前記接合突条Ｆを挟持する硬質合成樹脂で成る挟持部６２と、前記接合溝Ｋを閉塞する軟質合成樹脂から成る目地部６１とを、一体的に備えた接合部材６０でパネル３０・３０を接合する。【選択図】図３
2008008058.tif 000002
【特許請求の範囲】
【請求項１】
接合されるパネルの側端面の各々に設けた略Ｌ字状平断面形状の突条を突き合わせることにより前記パネルの側端面間に形成された、パネル表面側に開放された略上下方向の溝形状部である接合溝、並びに、該接合溝の底部よりパネル表面側へ向けて起立する面形状部である接合突条と、
前記接合溝に挿入されて前記接合突条を挟持する硬質合成樹脂で成る挟持部と、
該挟持部と一体的に形成されて前記接合溝を閉塞する軟質合成樹脂から成る目地部とを、備えることを特徴とする
パネルの接合構造。
【請求項２】
複数のパネルを接合して成る間仕切壁であって、
接合されるパネルの側端面の各々に設けた略Ｌ字状平断面形状の突条を突き合わせることにより前記パネルの側端面間に形成された、パネル表面側に開放された略上下方向の溝形状部である接合溝、並びに、該接合溝の底部よりパネル表面側へ向けて起立する面形状部である接合突条と、
前記接合溝に挿入されて前記接合突条を挟持する硬質合成樹脂で成る挟持部と、
該挟持部と一体的に形成されて前記接合溝を閉塞する軟質合成樹脂から成る目地部とを、備えることを特徴とする
間仕切壁。
【請求項３】
透明又は半透明の面材と、該面材の一面側の左右両端に固定された縦枠とを少なくとも備えて成るパネル同士の接合構造であって、
接合されるパネルの側端面の各々に設けた略Ｌ字状平断面形状の突条を突き合わせることにより前記パネルの側端面間に形成された、パネル表面側に開放された略上下方向の溝形状部である接合溝、並びに、該接合溝の底部よりパネル表面側へ向けて起立する面形状部である接合突条と、
前記接合溝に挿入されて前記接合突条を挟持する硬質合成樹脂で成る挟持部と、
前記接合されるパネルの側端において対峙する一対の縦枠のパネル表面側を併せて覆う幅を有する面形状部であって前記挟持部と一体的に形成された押圧部とを、備えることを特徴とする
パネルの接合構造。
【請求項４】
透明又は半透明の面材と、該面材の一面側の左右両端に固定された縦枠とを少なくとも備えて成る複数のパネルを接合して成る間仕切壁であって、
接合されるパネルの側端面の各々に設けた略Ｌ字状平断面形状の突条を突き合わせることにより前記パネルの側端面間に形成された、パネル表面側に開放された略上下方向の溝形状部である接合溝、並びに、該接合溝の底部よりパネル表面側へ向けて起立する面形状部である接合突条と、
前記接合溝に挿入されて前記接合突条を挟持する硬質合成樹脂で成る挟持部と、
前記接合されるパネルの側端において対峙する一対の縦枠のパネル表面側を併せて覆う幅を有する面形状部であって前記挟持部と一体的に形成された押圧部とを、備えることを特徴とする
間仕切壁。
【発明の詳細な説明】
【技術分野】
【０００１】
本発明は、間仕切壁に関し、詳細には、該間仕切壁の構成部材であるパネルの側端同士の接合構造に関する。
【背景技術】
【０００２】
従来、天井と床とに上下に略平行に配設された上レールと下レールとの間に、パネルを立設して成る可動間仕切壁が知られている。このような間仕切壁では、多くの場合、所望の壁面積を確保すべく複数のパネルが連設される。
【０００３】
パネルを連設するために、パネルの側端同士の接合方法について多くの形態が存在する。例えば、以下に示す特許文献１又は特許文献２では、パネルの接合端（側端）に形成した係合部に、パネルの接合端に生じる目地を閉塞する部材を係合させることにて、パネル同士を接合する接合方法が提案されている。
【０００４】
特許文献１に記載のパネル接合方法は、接合されようとする二枚のパネルの接合端のそれぞれにクリップを設けるとともに、目地を閉塞する目地部材の裏面に前記クリップに係合する係止部材を設け、間隙に目地部材を遊合することにて前記クリップと係止部材とを係合させるものである。この技術によれば、目地部材をパネルに対して押圧するという簡易な作業により、接合されるパネルの接合端が相互に引き寄せられて、目地部材の係止部材とパネルのクリップが係合し、これらのパネルが面一に接続される。
【０００５】
特許文献２に記載のパネル接合方法は、柱部材にパネル取付溝を形成し、パネル押さえ部材に前記パネル取付溝に嵌入する脚部と該脚部に略直交するパネル当接面を有するパネル当接部とを形成し、柱部材に二枚のパネルの側部を両面接着テープで接着したのち、これらのパネルの側部を前記パネル押さえ部材のパネル当接部で押圧しながら、前記柱部材のパネル取付溝に前記パネル押さえ部材の脚部を嵌入するものである。この技術によれば、柱部材に対してパネル押さえ部材を押圧するという簡易な作業により、パネルの柱部材への固定と該パネルの接続とが行われる。
【０００６】
ところで、パネルの側端同士の接合部に表れる目地はできるだけ目立たないようにすることが、意匠性を向上させるうえで好ましい。また、パネル同士の間隙はできるだけ密閉できることが気密性を高めるうえで望ましい。これらの条件を満たしながらも、組立又は解体が簡易な間仕切壁が望まれる。
【特許文献１】実開平５−１９４０３号公報
【特許文献２】特開２００３−３３６３３８号公報
【発明の開示】
【発明が解決しようとする課題】
【０００７】
本発明では、パネルの側端同士の接合に際して、組立又は解体作業が簡易であって、且つ、パネルの側端同士の間隙を外観良く閉塞することのできるパネルの接合構造、及びこの接合構造を採用した間仕切壁について提案する。
【課題を解決するための手段】
【０００８】
本発明の解決しようとする課題は以上の如くであり、次にこの課題を解決するための手段を説明する。
【０００９】
即ち、請求項１においては、接合されるパネルの側端面の各々に設けた略Ｌ字状平断面形状の突条を突き合わせることにより前記パネルの側端面間に形成された、パネル表面側に開放された略上下方向の溝形状部である接合溝、並びに、該接合溝の底部よりパネル表面側へ向けて起立する面形状部である接合突条と、前記接合溝に挿入されて前記接合突条を挟持する硬質合成樹脂で成る挟持部と、該挟持部と一体的に形成されて前記接合溝を閉塞する軟質合成樹脂から成る目地部とを、備えるパネルの接合構造である。
【００１０】
請求項２においては、複数のパネルを接合して成る間仕切壁であって、接合されるパネルの側端面の各々に設けた略Ｌ字状平断面形状の突条を突き合わせることにより前記パネルの側端面間に形成された、パネル表面側に開放された略上下方向の溝形状部である接合溝、並びに、該接合溝の底部よりパネル表面側へ向けて起立する面形状部である接合突条と、前記接合溝に挿入されて前記接合突条を挟持する硬質合成樹脂で成る挟持部と、該挟持部と一体的に形成されて前記接合溝を閉塞する軟質合成樹脂から成る目地部とを、備えるものである。
【００１１】
請求項３においては、透明又は半透明の面材と、該面材の一面側の左右両端に固定された縦枠とを少なくとも備えて成るパネル同士の接合構造であって、接合されるパネルの側端面の各々に設けた略Ｌ字状平断面形状の突条を突き合わせることにより前記パネルの側端面間に形成された、パネル表面側に開放された略上下方向の溝形状部である接合溝、並びに、該接合溝の底部よりパネル表面側へ向けて起立する面形状部である接合突条と、前記接合溝に挿入されて前記接合突条を挟持する硬質合成樹脂で成る挟持部と、前記接合されるパネルの側端において対峙する一対の縦枠のパネル表面側を併せて覆う幅を有する面形状部であって前記挟持部と一体的に形成された押圧部とを、備えるパネルの接合構造である。
【００１２】
請求項４においては、透明又は半透明の面材と、該面材の一面側の左右両端に固定された縦枠とを少なくとも備えて成る複数のパネルを接合して成る間仕切壁であって、接合されるパネルの側端面の各々に設けた略Ｌ字状平断面形状の突条を突き合わせることにより前記パネルの側端面間に形成された、パネル表面側に開放された略上下方向の溝形状部である接合溝、並びに、該接合溝の底部よりパネル表面側へ向けて起立する面形状部である接合突条と、前記接合溝に挿入されて前記接合突条を挟持する硬質合成樹脂で成る挟持部と、前記接合されるパネルの側端において対峙する一対の縦枠のパネル表面側を併せて覆う幅を有する面形状部であって前記挟持部と一体的に形成された押圧部とを、備えるものである。
【発明の効果】
【００１３】
本発明の効果として、以下に示すような効果を奏する。
【００１４】
隣接して配置されたパネルの側端同士の接合に際して、挟持部をパネルに対して押圧する作業で、パネルの側端同士を緊結することができるので、組立又は解体作業が簡易である。また、目地部又は押圧部によりパネルの側端同士の間隙は密閉されるとともに、パネルの側端同士の納まりを外観良く仕上げることができる。
【発明を実施するための最良の形態】
【００１５】
次に、発明の実施の形態を説明する。
【実施例１】
【００１６】
本発明の実施例１に係る間仕切壁１０について説明する。
図１は本発明の実施例１に係る間仕切壁の全体的な構成を示す正面図、図２は間仕切壁の側面断面図、図３はパネルの側端同士の接合構造を示す平面断面図である。
図４はパネルの縦枠の平面断面図である。図５は接合部材の平面断面図である。
図６は間仕切壁の設置工程を説明する図である。
【００１７】
図１〜図３に示すように、間仕切壁１０は、接合部材６０・６０を用いて接合された複数のパネル３０・３０・３０と、略門字状断面形状を有し前記パネル３０・３０・３０の上端部を挿入して支持する上レール２０と、前記パネル３０・３０・３０の下端部に接合され該パネル３０・３０・３０を支持する下レール４０と、前記下レール４０及び前記パネル３０・３０・３０の下縁部を覆う巾木５０とを、備えて構成される。
【００１８】
続いて、上記間仕切壁１０の各構成部材について詳細に説明する。
なお、以下、間仕切壁１０を構成するパネル３０表裏の壁構成面を、『パネル表面』と記載し、該パネル表面と略平行な方向を『面内方向』と記載し、該パネル表面に垂直な方向を『面外方向』と記載する。
【００１９】
［上レール２０］
前記上レール２０は、面外方向の断面形状が略門字状の長尺物である。上レール２０の上面は、ビス等の固定手段２２を用いて天井１１に固定され、該上レール２０の開放された下面にはパネル３０の上端部が挿入される。この上レール２０にてパネル３０の上端部が面外方向に移動不能に保持される。
【００２０】
［下レール４０］
前記下レール４０は、面外方向の断面形状が略ＩＩ（ローマ数字の２）字状の長尺物であって、上下に略平行に配置された底板部４１及び上板部４７と、これら上下の板状部材を繋ぐ二本の柱脚部４３・４３とを有する。下レール４０は、前記上レール２０と略平行に配設されて、パネル３０の下端部に接合される。この下レール４０にてパネル３０の下端部が支持される。
【００２１】
前記下レール４０の底板部４１は、面ファスナー４８にて床１２に固着される。また、前記下レール４０の底板部４１の側縁は上方へ折り曲げられて、起立部４２・４２が設けられる。
前記下レール４０の柱脚部４３・４３は、底板部４１と上板部４７との間を繋ぐ略垂直面を有し、該柱脚部４３・４３の上端部に連結された上板部４７には、パネル３０と下レール４０との接合部が形成される。この接合部の構造については、後述のパネル３０の構造とともに詳述する。
【００２２】
［パネル３０］
前記パネル３０は間仕切壁１０の壁面構成部材であって、上枠部材３１、下枠部材３３、並びに左右の縦枠部材３４・３４の各角形管にて略矩形状に組まれた枠体の表裏両面に表装板３２・３２が張設されて構成される。
【００２３】
前記パネル３０の下端面を構成する下枠部材３３の下面は、パネル３０と下レール４０との接合部である。
パネル３０と下レール４０との接合部には、床１２に固定された下レール４０に対してパネル３０を下方へ移動させることにて、該パネル３０を面外方向に移動不能な状態に嵌合する嵌合形状が備えられる。
前記パネル３０側の接合部には、下枠部材３３の下面に凹状の嵌合溝３３ａが形成される。一方、下レール４０側の接合部には、下レール４０の上板部４７の上面に前記パネル３０の嵌合溝３３ａに嵌入される二本の突条４６・４６が形成される。
【００２４】
さらに、パネル３０と下レール４０との接合部には、自由端を有する面形状部が各々に形成される。これらの面形状部は、重ね合わされた状態で、巾木５０の裏面に形成された挟持部５４に上下方向から挟み込まれて挟持される。
前記パネル３０側の接合部には、下枠部材３３の下面に略Ｌ字状断面形状を有する二本の突条が形成され、該突条に面外方向と略平行であって自由端を有する面形状部である被挟持部３３ｂ・３３ｂが設けられる。一方、前記下レール４０側の接合部には、上板部４７の面外方向両側の端部に、自由端を有する面形状部である被挟持部４５・４５が設けられる。
【００２５】
また、図３及び図４に示すように、パネル３０の側端面を構成する縦枠部材３４の端面（以下、『パネル接合面』と記載する）は、パネル３０・３０の側端同士の接合部である。
【００２６】
縦枠部材３４のパネル接合面には、パネル３０の面外方向略中央部において略Ｍ字状平断面形状を有する凹溝１３１が形成される。
接合されるパネル３０・３０の側端面間には、前記凹溝１３１・１３１にて略上下方向の空隙が形成される。この空隙は、電気ケーブルの配線のため等に利用することができる。
【００２７】
さらに、前記縦枠部材３４のパネル接合面には、前記凹溝１３１の両側に略Ｌ字状平断面形状の突条１３０・１３０が備えられる。
前記突条１３０は、面内方向と略平行な面で成る起立部１３２と、該起立部１３２と略直交し面外方向と略平行な面で成る当接部１３３とを有し、該当接部１３３の自由端には鉤型突条１３４が形成される。
【００２８】
前記突条１３０の当接部１３３はパネル３０の最も側端に位置し、接合されるパネル３０・３０の側端面を突き合わせた際には、当接部１３３・１３３同士が面で接する。
接合されるパネル３０・３０の側端同士を対峙させて、各々に設けられた突条１３０・１３０を突き合わせることにより、接合されるパネル３０・３０の側端面間に、パネル表面側に開口する略上下方向の溝形状部である接合溝Ｋが形成されるとともに、該接合溝Ｋの底部よりパネル表面側へ向けて起立する面形状部である接合突条Ｆが形成される。
なお、前記接合溝Ｋは、接合されるパネル３０・３０の側端面が突き合わさった状態において、縦枠部材３７・３７のパネル接合面と突条１３０・１３０の起立部１３２・１３２にて形成され、前記接合突条Ｆは、当接部１３３・１３３が重ね合わさることにて形成される。
【００２９】
［接合部材６０］
図３及び図５に示すように、前記接合部材６０には、接合されるパネル３０・３０の側端面間に形成された前記接合溝Ｋに挿入されて前記接合突条Ｆを挟持する挟持部６２と、前記接合溝Ｋを閉塞する目地部６１とが、一体的に備えられる。
【００３０】
前記挟持部６２は、対峙する二本の脚６２ａ・６２ａを有し、硬質合成樹脂で構成される。これらの脚６２ａ・６２ａの間に溝６２ｄが形成され、該溝６２ｄに接合突条Ｆが挿入される。この溝６２ｄの開口部近傍は蟻柄形状であって、該溝６２ｄの奥部に向かうにつれて溝幅が狭まっている。そして、前記溝６２ｄにおいて蟻柄形状の終端は溝６２ｄの深さ方向中途部に位置し、ここに係止突条６２ｂが形成される。
【００３１】
挟持部６２の溝６２ｄに接合突条Ｆが挿入されて、当接部１３３の端部に形成された鉤型突条１３４が該溝６２ｄの蟻柄形状を通過し、鉤型突条１３４の終端が前記係止突条６２ｂに至ると、「パチン」と音がする。従って、接合部材６０の挟持部６２と、パネル３０・３０側の接合突条Ｆとが係合したことを、作業者は音により確認することができる。
【００３２】
前記目地部６１は、接合部材６０のうち間仕切壁１０の外観に表れる部分であって、軟質合成樹脂素材で構成される。
接合されるパネル３０・３０の側端面間に形成された前記接合溝Ｋに接合部材６０を挿入すると、目地部６１が該接合溝Ｋの形状に追従して変形し、パネル３０・３０の側端同士の間隙が密閉される。
このように接合溝Ｋの形状に合わせて嵌り込んだ接合部材６０の目地部６１にて、パネル３０・３０の目地が密閉されることによって、間仕切壁１０の気密性が高められるとともにパネル３０・３０の側端同士の納まりを外観良く仕上げることができる。
【００３３】
［巾木５０］
図２にも示すように、前記巾木５０の大部分を構成する面状部材である巾木本体５１には、上縁部に上ヒレ部５２が、下縁部に下ヒレ部５３が設けられる。また、巾木本体５１の裏面側には、挟持部５４及び係止部５７が設けられる。
【００３４】
前記上ヒレ部５２及び下ヒレ部５３は軟質エラストマー等の軟質樹脂素材で成り、図１に示すように、巾木５０がパネル３０及び下レール４０に取り付けられたときに、上ヒレ部５２はパネル３０と圧接して弾性変形し、パネル３０と巾木５０との間隙を閉塞し、下ヒレ部５３は床１２と圧接して弾性変形し、巾木５０、下レール４０及び床１２の間隙を閉塞する。
【００３５】
前記挟持部５４は、略水平方向に開放する溝形状部であり、開口部に内側への係止突起が形成される。該挟持部５４は、前記パネル３０の被挟持部３３ｂと下レール４０の被挟持部４５とを重ね合わせた状態で上下方向から挟み込むためのものである。
【００３６】
前記係止部５７は、巾木本体５１の裏面下部に設けられた下方に開放する溝形状部分であって、前記下レール４０に形成された起立部４２を挿入可能に形成される。該係止部５７は、前記下レール４０に形成された起立部４２を挿入して巾木５０を該下レール４０に係止させるためのものである。
【００３７】
続いて、図６を用いて、上記構成の間仕切壁１０の設置工程について説明する。
【００３８】
先ず、図６（ａ）に示すように、天井１１に上レール２０をビス等の固定手段２２にて固定し、床１２に下レール４０を面ファスナー４８にて固定する。
なお、上レール２０と下レール４０とは、略平行となるように墨出し等が行われ位置決めされる。
【００３９】
続いて、図６（ｂ）に示すように、パネル３０を傾けた状態で該パネル３０の上部を上レール２０の奥部まで挿入したのち、該パネル３０を略垂直に起立させ、このパネル３０の姿勢を保持したまま該パネル３０を降下させる。
この手順により、図６（ｃ）に示すように、パネル３０の嵌合溝３３ａに、下レール４０の突条４６・４６が嵌入して、下レール４０にパネル３０が立設される。このとき、下レール４０の被挟持部４５・４５と、パネル３０の被挟持部３３ｂ・３３ｂとは、上下に重ね合わさった状態となる。
【００４０】
所定枚数のパネル３０を上述のように下レール４０に立設したのち、隣接するパネル３０・３０の側端同士を接合部材６０にて接合する。
パネル３０・３０の側端同士を接合部材６０にて接合するために、接合されるパネル３０・３０間に形成された接合溝Ｋに接合部材６０の挟持部６２を音がするまで挿入する。このように、接合されるパネル３０・３０の側端の間隙に接合部材６０を挿入し、該接合部材６０をパネル３０・３０に対して押圧するという簡易な作業で、パネル３０・３０の側端同士を接合部材６０にて緊結することができる。
【００４１】
最後に、図６（ｄ）に示すように、パネル３０と下レール４０とに巾木５０を取り付ける。
パネル３０と下レール４０とに巾木５０を取り付けるために、先ず、下レール４０の起立部４２に巾木５０の係止部５７を係入したのち、該巾木５０を回転させて、下レール４０の被挟持部４５とパネル３０の被挟持部３３ｂとを、該巾木５０の挟持部５４に挿入する。
【００４２】
上述の設置工程にて、間仕切壁１０が立設される。
この間仕切壁１０では、パネル３０とパネル３０とは接合部材６０にて緊結されるとともに、これらの間隙は該接合部材６０にて密閉される。そして、間仕切壁１０の表面に現れる接合部材６０の目地部６１にて、パネル３０・３０の側端同士の納まりを外観良く仕上げることができる。
【実施例２】
【００４３】
本発明の実施例２に係る間仕切壁１０について説明する。
図７は本発明の実施例２に係る間仕切壁の全体的な構成を示す正面図、図８は間仕切壁の側面断面図、図９はパネルの側端同士の接合構造を示す平面断面図、図１０はパネルの縦枠の平面断面図、図１１は接合部材の平面断面図である。
【００４４】
図７〜図９に示すように、間仕切壁１０は、接合部材７０を用いて接合された複数のパネル３０・３０・３０と、略門字状断面形状を有し前記パネル３０・３０・３０の上端部を挿入して支持する上レール２０と、前記パネル３０・３０・３０の下端部に接合され該パネル３０・３０・３０を支持する下レール４０と、前記下レール４０及び前記パネル３０の下縁部を覆う巾木５０とを、備えて構成される。
【００４５】
続いて、上記間仕切壁１０の各構成部材について詳細に説明する。
但し、実施例２に係る間仕切壁１０では、上レール２０、下レール４０及び巾木５０の構造、並びに間仕切壁１０の設置工程は、上記実施例１に係る間仕切壁１０と同一であるので、これらについての詳細な説明は省略する。
【００４６】
［パネル３０］
前記パネル３０は間仕切壁１０の壁面構成部材であって、透明又は半透明の面材３６と、該面材３６の一面側の左右両端に固定された縦枠部材３７・３７とが少なくとも備えられる。
本実施例では、上枠部材３１、下枠部材３３、及び左右の縦枠部材３７・３７の各角形管にて略矩形状に組まれた枠体の一面に面材３６が張設されて、パネル３０が構成される。
【００４７】
前記面材３６として、例えば、ガラス板やアクリル板等の透明板、或いは、半透明板が採用される。該面材３６の四周は、上枠部材３１、下枠部材３３、及び縦枠部材３７・３７に対して両面接着テープ３８を用いて貼り付けられる。
【００４８】
前記パネル３０の下端面、すなわち、下枠部材３３の下面は、下レール４０とパネル３０との接合部である。
パネル３０と下レール４０との接合部には、床１２に固定された下レール４０に対してパネル３０を下方へ移動させることにて、該パネル３０を面外方向に移動不能な状態に嵌合する嵌合形状が備えられる。
前記パネル３０側の接合部には、下枠部材３３の下面に略上下逆Ｆ字状断面形状を有する二本の突条が形成される。該突条は、下枠部材３３から垂れ下がる垂下部３３ｃと、該垂下部３３ｃと略直交する面形状部である隔離部３３ｄと、該垂下部３３ｃと略直交する面形状部である被挟持部３３ｂとが形成される。
一方、下レール４０側の接合部として、下レール４０の上板部４７の上面には、前記垂下部３３ｃ・３３ｃにてパネル３０の下端面に形成された嵌合溝に嵌入する、二本の突条４６・４６が形成される。
【００４９】
また、パネル３０と下レール４０との接合部には、自由端を有する面形状部が各々に形成される。これらの面形状部は、重ね合わされた状態で、巾木５０の裏面に形成された挟持部５４に上下方向から挟み込まれて挟持される。
前記パネル３０側の接合部では、前記下枠部材３３の下面より突出する略上下逆Ｆ字状断面形状を有する突条を形成する被挟持部３３ｂ・３３ｂが、自由端を有する面形状部とされる。一方、前記下レール４０側の接合部では、上板部４７の両側の縁部が自由端を有する面形状部である被挟持部４５・４５とされる。
【００５０】
また、図９及び図１０に示すように、パネル３０の側端面を構成する縦枠部材３７の側端面（以下、『パネル接合面』と記載する）は、パネル３０・３０の側端同士の接合部とされる。
【００５１】
前記縦枠部材３４のパネル接合面には、面外方向の両端に略Ｌ字状平断面形状の突条１４０・１４０が備えられる。
前記突条１４０は、面内方向と略平行な面で成る起立部１３７と、該起立部１３７と略直交し面外方向と略平行な面で成る当接部１３８とを有し、該当接部１３８の自由端には鉤型突条１３９が形成される。
【００５２】
前記突条１４０の当接部１３８はパネル３０の最も側端に位置し、接合されるパネル３０・３０の側端面を突き合わせた際には、当接部１３８・１３８同士が面で接する。
接合されるパネル３０・３０の側端同士を対峙させて、各々に設けられた突条１４０・１４０を突き合わせることにより、接合されるパネル３０・３０の側端面間に、パネル表面側に開口する略上下方向の溝形状部である接合溝Ｋが形成されるとともに、該接合溝Ｋの底部よりパネル表面側へ向けて起立する面形状部である接合突条Ｆが形成される。
なお、前記接合溝Ｋは、接合されるパネル３０・３０の側端面が突き合わさった状態において、縦枠部材３７・３７のパネル接合面と突条１４０・１４０の起立部１３７・１３７にて形成され、前記接合突条Ｆは、当接部１３８・１３８が重ね合わさることにて形成される。
【００５３】
［接合部材７０］
図９及び図１１に示すように、前記接合部材７０には、接合されるパネル３０・３０の側端面間に形成された前記接合溝Ｋに挿入されて前記接合突条Ｆを挟持する挟持部７２と、前記接合されるパネル３０・３０の側端において対峙する一対の縦枠３７・３７のパネル表面側を併せて覆う幅を有する面形状部である押圧部７１とが、一体的に備えられる。前記押圧部７１と挟持部７２との間は、柱脚部７３で接続され、接合部材７０の平断面形状は、該柱脚部７３を中心として略対称とされる。
【００５４】
前記挟持部７２は、対峙する二本の脚７２ａ・７２ａを有し、これらの脚７２ａ・７２ａの間に溝７２ｄが形成され、該溝７２ｄに接合突条Ｆが挿入される。この溝７２ｄの開口部近傍は蟻柄形状であって、該溝７２ｄの奥部に向かうにつれて溝幅が狭まっている。そして、前記溝７２ｄにおいて蟻柄形状の終端は溝７２ｄの深さ方向中途部に位置し、ここに係止突条７２ｂが形成される。
【００５５】
前記押圧部７１は、平板状であって、柱脚部７３を中心として両側に押圧面７１ｂ・７１ｂを有する。
さらに、前記押圧部７１は、接合されるパネル３０・３０の側端において対峙する各々の縦枠３７・３７を、パネル表面から隠蔽できる幅を有する。つまり、一方の押圧面７１ｂは、パネル表面に表れる縦枠３７を隠蔽できる幅を有する。
【００５６】
接合部材７０が面材３６の固定されたパネル表面側に取り付けられると、前記押圧面７１ｂにて面材３６が縦枠部材３７側へ押圧される。従って、縦枠部材３７に対して面材３６は両面接着テープ３８にて接着されているに過ぎないが、面材３６は縦枠部材３７に確実に固定され、間仕切壁１０より落脱することがなく、また、隣接して配置されるパネル３０の面材３６が略面一となるように位置決めされるのである。さらに、接合部材７０の押圧部７１にて、面材３６を縦枠部材３７へ固定するために使用された両面接着テープ３８をパネルの外観から隠蔽することができる。
【００５７】
また、接合部材７０が、縦枠部材３７が露出したパネル表面側に取り付けられると、前記押圧面７１ｂにて該縦枠部材３７及び目地が一枚の面材で覆われることとなり、パネル３０・３０の側端同士の納まりを外観良く仕上げることができる。
【００５８】
上記構成の間仕切壁１０では、パネル３０とパネル３０とが接合部材７０の挟持部７２にて緊結されるとともに、該接合部材７０の押圧部７１にて、パネル３０・３０の間の目地が密閉される。さらに、接合されるパネル３０・３０の側端で対峙する一対の縦枠部材３７・３７と、これらの目地とが併せて一枚の面材である接合部材７０の押圧部７１にて覆われる。
【図面の簡単な説明】
【００５９】
【図１】本発明の実施例１に係る間仕切壁の全体的な構成を示す正面図。
【図２】間仕切壁の側面断面図。
【図３】パネルの側端同士の接合構造を示す平面断面図。
【図４】パネルの縦枠の平面断面図。
【図５】接合部材の平面断面図。
【図６】間仕切壁の設置工程を説明する図。
【図７】本発明の実施例２に係る間仕切壁の全体的な構成を示す正面図。
【図８】間仕切壁の側面断面図。
【図９】パネルの側端同士の接合構造を示す平面断面図。
【図１０】パネルの縦枠の平面断面図。
【図１１】接合部材の平面断面図。
【符号の説明】
【００６０】
Ｋ  接合溝
Ｆ  接合突条
１０  間仕切壁
１１  天井
１２  床
２０  上レール
３０  パネル
４０  下レール
５０  巾木
６０  接合部材
６１  目地部
６２  挟持部
７０  接合部材
７１  押圧部
７２  挟持部
【図１】
2008008058.tif 000003
【図２】
2008008058.tif 000004
【図３】
2008008058.tif 000005
【図４】
2008008058.tif 000006
【図５】
2008008058.tif 000007
【図６】
2008008058.tif 000008
【図７】
2008008058.tif 000009
【図８】
2008008058.tif 000010
【図９】
2008008058.tif 000011
【図１０】
2008008058.tif 000012
【図１１】
2008008058.tif 000013